(57)【要約】【課題】本発明は、携帯電話機に着脱して、携帯電話機の電子メールの動作を促す外部接続装置に関する。さらに、携帯電話機が送信した電子メールを受信したサーバー装置は、自動で文字列を判別及び解析処理し、固有の原稿を送信する。【解決手段】本外部接続装置は、携帯電話機の外部接続端子部（４）に接続するためのシリアル通信用インターフェース（５）及びコネクタ（１）を設け、エラーの際に点滅する表示用ＬＥＤ（３）を設け、演算処理用のマイクロコンピュータ（６）を取り付けたことを特徴とする。【選択図】図１
2004007464.tif 000002
【特許請求の範囲】
【請求項１】
（イ）携帯電話機の外部接続端子部（４）に接続するためのシリアル通信用インターフェース（５）及びコネクタ（１）を設ける。
（ハ）エラーや初期化の際に点滅する表示用ＬＥＤ（３）を設ける。
（ニ）電源供給のためのバッテリー（７）を設ける。
（ホ）演算処理用のマイクロコンピュータ（６）を設ける。
以上の如く構成された、携帯電話機用の外部接続装置。
【請求項２】
携帯電話機の外部接続端子部（４）に差すことにより、自動で携帯電話機の電子メール用アプリケーションが起動し、指定の電子メールアドレス宛に題名と本文を記入して、携帯電話機の電子メールの送信を促す携帯電話機用の外部接続装置。
【請求項３】
携帯電話機が送信した電子メールを受信して、その題名、本文を自動で判別及び解析処理を行い、使用者に適切な情報の原稿を電子メールで送信するサーバー装置。
【請求項４】
携帯電話機の外部接続端子部（４）に差すことによって、差された携帯電話機に天気やニュースの情報が配信される携帯電話機用の外部接続装置。
【請求項５】
携帯電話機の外部接続端子部（４）に差すことによって、差された携帯電話機に英会話や資格・受験の学習用の情報が配信される携帯電話機用の外部接続装置。
【請求項６】
携帯電話機の外部接続端子部（４）に差すことによって、差された携帯電話機に通信販売や商品の情報が配信される携帯電話機用の外部接続装置。
【請求項７】
携帯電話機の外部接続端子部（４）に差すことによって、差された携帯電話機に音楽やカラオケ・着メロの情報が配信される携帯電話機用の外部接続装置。
【請求項８】
携帯電話機の外部接続端子部（４）に差すことによって、差された携帯電話機に株式や先物取引の情報が配信される携帯電話機用の外部接続装置。
【請求項９】
携帯電話機の外部接続端子部（４）に差すことによって、差された携帯電話機に競馬や競艇・競輪の予想・オッズ情報が配信される携帯電話機用の外部接続装置。
【請求項１０】
携帯電話機の外部接続端子部（４）に差すことによって、差された携帯電話機にテレビ番組表の情報が配信される携帯電話機用の外部接続装置。
【請求項１１】
携帯電話機の外部接続端子部（４）に差すことによって、差された携帯電話機にクイズや心理テスト関連の情報が配信される携帯電話機用の外部接続装置。
【請求項１２】
携帯電話機の外部接続端子部（４）に差すことによって、差された携帯電話機に料理・レシピの情報が配信される携帯電話機用の外部接続装置。
【請求項１３】
携帯電話機の外部接続端子部（４）に差すことによって、差された携帯電話機に社員の勤怠管理の情報が配信される携帯電話機用の外部接続装置。
【請求項１４】
携帯電話機の外部接続端子部（４）に差すことによって、差された携帯電話機に家計簿や日記・健康管理の情報が配信される携帯電話機用の外部接続装置。
【請求項１５】
携帯電話機の外部接続端子部（４）に差すことによって、差された携帯電話機に本人が撮影した写真やアルバムの情報が配信される携帯電話機用の外部接続装置。
【請求項１６】
携帯電話機の外部接続端子部（４）に差すことによって、差された携帯電話機に本人が日々歩いた歩数の情報が配信される携帯電話機用の外部接続装置。
【請求項１７】
携帯電話機の外部接続端子部（４）に差すことによって、差された携帯電話機に占いやゲームの情報が配信される携帯電話機用の外部接続装置。
【発明の詳細な説明】
【０００１】
【発明の属する技術分野】携帯電話機に着脱して、携帯電話機の動作を促す外部接続装置に関する。
【０００２】
携帯電話機からインターネット回線網（１１）を経由して受取った電子メールを自動で判別及び解析処理をするサーバー装置に関する。
【０００３】
【従来の技術】従来の携帯電話機用の外部接続装置は、携帯電話機のメモリを編集するための装置や、携帯電話機のキー操作を補助するための装置や、携帯電話機のバッテリーの充電に関する装置が多い。
【０００４】
従来の技術を用いて携帯電話機で情報を取得する場合、携帯電話のキーを操作して指定のＵＲＬを入力後、Ｗｅｂサイトにアクセスして情報を取得するか、携帯電話のメモリ内に保存されているアプリケーションを起動して情報を閲覧する必要がある。
【０００５】
【発明が解決しようとする課題】
上述の従来の技術はいずれの場合も使用者が携帯電話機のキー操作をするなど、煩わしい操作を行わなければならない。本発明は、携帯電話機の外部接続端子部（４）に本外部接続装置を着脱して、携帯電話機が電子メールを送受信できる場所にいる場合は、いつでも携帯電話機のキー操作をすることなく、使用者専用の情報の原稿を電子メールで受信できることを目的とする。
【０００６】
従来の技術は、あくまで使用者の利便性を促すものであって、使用者を楽しませるようなエンターテインメント性のある装置や情報装置に関するものではなかった。本発明は、使用者本人を楽しませるものであると同時に、知人の携帯電話に差した場合には、その知人の携帯電話用のメールアドレスも電子メールで受取ることができる。使用者とその知人が一緒になって楽しむことを目的とする。
【０００７】
【課題を解決するための手段】
（イ）携帯電話機の外部接続端子部（４）に接続するためのシリアル通信用インターフェース（５）及びコネクタ（１）を設ける。
（ハ）エラーや初期化の際に必点滅する表示用ＬＥＤ（３）を設ける。
（ニ）電源供給のためのバッテリー（７）を設ける。
（ホ）演算処理用のマイクロコンピュータ（６）を設ける。
本発明は、以上の如く構成された携帯電話機用の外部接続装置を使用する。
【０００８】
【発明の実施の形態】
本外部接続装置は、携帯電話機用の外部接続端子部（４）に着脱することができる。携帯電話機の外部接続端子部（４）に差すと、自動で携帯電話の電子メール用アプリケーションが起動し、携帯電話機のキー操作により題名・本文が記入され、指定の電子メールアドレス宛に電子メールが送信される。
【０００９】
インターネット回線網（１１）より上述の電子メールを受信した本サーバー装置は、その内容を本サーバー装置の記憶領域にあるデータベース（１４）の電子メール送受信リストに格納する。さらに、電子メールの日時・送信元・題名・本文の文字列を自動で判別し、本サーバー装置の記憶領域にあるデータベース（１４）よりマッチングして、使用者に対して適切な情報の原稿を送信する。
【００１０】
本サーバー装置は、本外部接続装置を自分の携帯電話機（１２）の外部接続端子部（４）差した時の電子メールを受信した場合は、日々の情報の原稿を携帯電話機（１２）宛に送信し、知人の携帯電話機の外部接続端子部（４）に差した時の電子メールを受信した場合は、その知人の携帯電話用のメールアドレスを携帯電話機宛に送信する。
【００１１】
次に、本の外部接続装置の設定方法を示す。初回に携帯電話機の外部接続端子部（４）に接続すると、本携帯電話用の外部接続装置の記憶部（８）に携帯電話機の電話番号（１０）が保存される。
【００１２】
図５は、本実施形態に係る携帯電話機と本外部接続装置及びサーバー装置の動作を示すフローチャートである。ただし、点線枠内は、使用者による動作である。以下にその各動作について説明する。
（Ａ）使用者は、上述の動作による設定後、本外部接続装置をコネクタ（１）に差し込む。
（Ｂ）携帯電話機に差したことを確認した本外部接続装置は自動で機種・電話番号（１０）の要求コマンドを送信する。
（Ｃ）携帯電話機は、機種、情報種別用データ（９）、電話番号（１０）の要求コマンドを受信する。
（Ｄ）携帯電話機は、機種、情報種別用データ（９）、電話番号（１０）のデータを本外部接続装置に送信する。
（Ｅ）本外部接続装置は、携帯電話機より機種、情報種別用データ（９）、電話番号（１０）を受信する。
（Ｆ）本外部接続装置は、（Ｅ）で受信した機種、情報種別用データ（９）、電話番号（１０）を取得し、自動で判別及び解析処理を行い、携帯電話機に対して個別のコマンドを送信する。
（Ｇ）携帯電話機は、（Ｆ）で送信したコマンドを受信する。
（Ｈ）携帯電話機は、（Ｇ）のコマンドに従い電子メール用アプリケーションを起動するキー操作を行う。
（Ｉ）携帯電話機は、（Ｇ）のコマンドに従い宛先を記入するキー操作を行う。（Ｊ）携帯電話機は、（Ｇ）のコマンドに従い題名を記入するキー操作を行う。（Ｋ）携帯電話機は、（Ｇ）のコマンドに従い本文を記入するキー操作を行う。（Ｌ）携帯電話機は、宛先・題名・本文が書かれた電子メールを、本サーバー装置宛に送信する。
（Ｍ）使用者は、電子メールの送信が終わったことを確認後、本外部接続装置を携帯電話機のコネクタ（１）から外す。
（Ｎ）本サーバー装置は、（Ｌ）により送られてきた電子メールを受信する。
（Ｏ）本サーバー装置は、（Ｌ）により送られてきた電子メールの送信日時を取得する。
（Ｐ）本サーバー装置は、（Ｌ）により送られてきた電子メールの送信者・題名・本文を取得する。
（Ｑ）本サーバー装置は、取得したデータをデータベース（１４）に格納し、文字列の判別及び解析処理を行う。
（Ｒ）本サーバー装置は、携帯電話機宛に日別・個別にマッチングした情報毎の原稿付き電子メールを携帯電話機宛に送信する。
（Ｓ）携帯電話機は、（Ｒ）によって送信された情報毎の原稿付き電子メールを受信する。
（Ｔ）使用者は、（Ｒ）によって送信された本文の内容を読み、その内容に従い情報を閲覧する。
【００１３】
【発明の効果】
本外部接続装置と対応の携帯電話機を持っていれば、使用者は所有の携帯電話機の電子メール機能を利用して、いつでもどこでも手軽にカスタマイズされた情報を引き出すことができる。
【００１４】
また、本外部接続装置は、使用者本人だけでなく、知人の対応する携帯電話機にも着脱できるので両者のコミュニケーションを促すきっかけとなる。
【図面の簡単な説明】
【図１】本発明の実施に係る外部接続装置の構成を示す図である。
【図２】本発明の実施に係る外部接続装置と携帯電話機の関係を示す図である。
【図３】本発明の実施に係る外部接続装置のプリント基板及びパーツ類の構成を示す図である。
【図４】本発明の実施に係る外部接続装置と携帯電話機及びサーバー装置の動作を示す概要図である。
【図５】本発明の実施に係る外部接続装置と携帯電話機及びサーバー装置の動作を示すフローチャートである。
【図６】本発明の実施に係る外部接続装置の電子回路を示す図である。
【符号の説明】
１…コネクタ
３…表示用ＬＥＤ
４…外部接続端子部
５…インターフェース
６…制御部（マイクロコンピュータ）
７…バッテリー
８…記憶部
９…機種判別や情報毎の種別用データ
１０…電話番号
１１…インターネット回線網
１２…自分の携帯電話機
１３…知人の携帯電話機
１４…データベース
【図１】
2004007464.tif 000003
【図２】
2004007464.tif 000004
【図３】
2004007464.tif 000005
【図４】
2004007464.tif 000006
【図５】
2004007464.tif 000007
【図６】
2004007464.tif 000008